(57)【特許請求の範囲】
【請求項１】
複数の雌接続端子を内部で支持すると共に、両側壁にガイド用突起が突設された雄コネクタハウジングを備えた雄コネクタと、
前記複数の雌接続端子と接続される複数の雄接続端子を内部で支持すると共に、先端側に前記雄コネクタハウジングが挿入されるコネクタ挿入方向に突出して形成された雌係合壁を有し、且つ前記雌係合壁の両側壁に前記雄コネクタハウジングのガイド用突起を前記コネクタ挿入方向に案内するガイドが形成された雌コネクタハウジングを備えた雌コネクタと、
前記雌コネクタハウジングの雌係合壁の両側壁に、これら両側壁に沿って前記コネクタ挿入方向と直交する方向にスライド自在に装着され、そのスライド方向に押し込まれることにより前記雄コネクタハウジングのガイド用突起と摺接して前記ガイド用突起を雌コネクタ側に引き込む第１の傾斜壁が形成されると共に、前記スライド方向に引き抜かれることにより前記雄コネクタハウジングのガイド用突起と摺接して前記ガイド用突起を雄コネクタ側に押し出す第２の傾斜壁が形成されたカム部を有するスライダと
を備えたスライダ付コネクタであって、
前記スライダは、二つのスライド片を、前記コネクタ挿入方向に可撓性を有する連結部によって連結してなり、
前記スライダのカム部の第１の傾斜壁は、そのスライド方向に対する傾斜角度が、前記雄コネクタと雌コネクタとの挿入時に前記雌接続端子と雄接続端子とが接触する手前で挿入力のピークに達するように設定されており、
前記スライダの連結部には、前記スライド方向に前記スライダが完全に押し込まれたロック状態のときに前記雌コネクタハウジングに形成された係止片に引っ掛かるロック片が形成され、
前記ロック片は、前記ロック状態からの前記スライダの前記スライド方向への引抜時に、前記連結部を撓ませながら前記係止片と摺接する第３の傾斜壁を有し、前記雄コネクタと雌コネクタとの引抜時に前記雌接続端子と雄接続端子とが離脱する手前で引抜力のピークに達するように設定されている
ことを特徴とするスライダ付コネクタ。
【請求項２】
複数の雌接続端子を内部で支持すると共に、両側壁にガイド用突起が突設された雄コネクタハウジングを備えた雄コネクタと、
前記複数の雌接続端子と接続される複数の雄接続端子を内部で支持すると共に、先端側に前記雄コネクタハウジングが挿入されるコネクタ挿入方向に突出して形成された雌係合壁を有し、且つ前記雌係合壁の両側壁に前記雄コネクタハウジングのガイド用突起を前記コネクタ挿入方向に案内するガイドが形成された雌コネクタハウジングを備えた雌コネクタと、
前記雌コネクタハウジングの雌係合壁の両側壁に、これら両側壁に沿って前記コネクタ挿入方向と直交する方向にスライド自在に装着され、そのスライド方向に押し込まれることにより前記雄コネクタハウジングのガイド用突起と摺接して前記ガイド用突起を雌コネクタ側に引き込む第１の傾斜壁が形成されると共に、前記スライド方向に引き抜かれることにより前記雄コネクタハウジングのガイド用突起と摺接して前記ガイド用突起を雄コネクタ側に押し出す第２の傾斜壁が形成されたカム部を有するスライダと
を備えたスライダ付コネクタであって、
前記スライダのカム部には、前記スライダをスライド方向に引き抜く際に、前記ガイド用突起の下端側に一旦当接し、前記雌接続端子と雄接続端子との離脱点を確実に越える分の前記引抜力に対する反力を発生するための前記コネクタ挿入方向の前記雄コネクタ側に窪んだ凹部が形成されている
ことを特徴とするスライダ付コネクタ。
【請求項３】
前記スライダのカム部の第１の傾斜壁は、前記雄コネクタと雌コネクタとの挿入時に前記雌接続端子と雄接続端子とが接触する手前で第１の角度からこれよりも小さい第２の角度へと変化するように設定されていることを特徴とする請求項１又は２記載のスライダ付コネクタ。
【発明の詳細な説明】
【０００１】
【発明の属する技術分野】
この発明は、自動車等に用いられている配線システムの配線接続用コネクタのうち、雌雄コネクタハウジングを確実に接続するためのスライダを有するコネクタに関し、特に、雌雄コネクタの挿抜時の放電によるコネクタ接続端子の欠損や放電火花による車両火災等を防止することができるスライダ付コネクタに関する。
【０００２】
【従来の技術】
近年、社会全体の急速な電子化に伴い、例えば、従来は単なる「移動」だけを目的としていた輸送手段のうちの一つである自動車にも快適性や利便性等が求められるようになり、コンピュータによる中央制御システムの下で、カーナビゲーション装置や電子制御式サスペンション装置のような種々の電子制御部品が搭載されるようになってきた。一方、このような快適性や利便性の追求のみならず、いわゆる自動車の排気ガス問題などに端を発した世界的環境問題等に関連して自動車用機器は、必要的に機械的制御から電気的制御に移り変わるようになってきた。例えば、パワーステアリング装置の動力は、従来エンジンの回転力から得ていたが、最近では電気的に動力を発生するような電動パワーステアリング装置を搭載し、いわゆる環境に優しいクリーンな電気エネルギーをより多く利用しようとする動きが活発になったこと等でその傾向を見ることができる。このような自動車用機器の多電子化に伴い、例えば、現在自動車に使用されている最大で数ワット（Ｗ）程度の自動車用機器の電気的負荷が、近い将来５〜６キロワット（ｋＷ）にまで及ぶものとなるとされ、同時に電力供給を効率良く行わなければならないため、車輌電源電圧を現在の１４ボルト（Ｖ）から４２ボルトに昇圧しようとする動きが起こり始めている。
【０００３】
【発明が解決しようとする課題】
しかしながら、このような大電力負荷となる自動車用機器が動作中に、その機器と機器とを繋ぐワイヤハーネスのコネクタを抜いたり挿したりすると、いわゆるアーク放電が発生し、そのエネルギーでコネクタの接続端子が溶損するだけでなく、放電火花が継続して起こることにより、極端な場合、車輌火災等が発生する可能性も否定できない。この原因の一つとしては、コネクタとコネクタの接続端子同士が接触する又は非接触となる状態が長く続くということが挙げられる。特に、人手によりコネクタを挿抜するときは、コネクタ同士を嵌合又は離脱する際の状態が不安定であり、アーク放電が生じるという問題がある。
【０００４】
この発明は、このような問題点に鑑みてなされたもので、雌雄コネクタの挿抜時のアーク放電によるコネクタ接続端子の欠損や放電火花の継続による車両火災等を防止することができるスライダ付コネクタを提供することを目的とする。
【０００５】
【課題を解決するための手段】
この発明に係る第１のスライダ付コネクタは、複数の雌接続端子を内部で支持すると共に、両側壁にガイド用突起が突設された雄コネクタハウジングを備えた雄コネクタと、前記複数の雌接続端子と接続される複数の雄接続端子を内部で支持すると共に、先端側に前記雄コネクタハウジングが挿入されるコネクタ挿入方向に突出して形成された雌係合壁を有し、且つ前記雌係合壁の両側壁に前記雄コネクタハウジングのガイド用突起を前記コネクタ挿入方向に案内するガイドが形成された雌コネクタハウジングを備えた雌コネクタと、前記雌コネクタハウジングの雌係合壁の両側壁に、これら両側壁に沿って前記コネクタ挿入方向と直交する方向にスライド自在に装着され、そのスライド方向に押し込まれることにより前記雄コネクタハウジングのガイド用突起と摺接して前記ガイド用突起を雌コネクタ側に引き込む第１の傾斜壁が形成されると共に、前記スライド方向に引き抜かれることにより前記雄コネクタハウジングのガイド用突起と摺接して前記ガイド用突起を雄コネクタ側に押し出す第２の傾斜壁が形成されたカム部を有するスライダとを備えたスライダ付コネクタであって、前記スライダは、二つのスライド片を、前記コネクタ挿入方向に可撓性を有する連結部によって連結してなり、前記スライダのカム部の第１の傾斜壁は、そのスライド方向に対する傾斜角度が、前記雄コネクタと雌コネクタとの挿入時に前記雌接続端子と雄接続端子とが接触する手前で挿入力のピークに達するように設定されており、前記スライダの前記連結部には、前記スライド方向に前記スライダが完全に押し込まれたロック状態のときに前記雌コネクタハウジングに形成された係止片に引っ掛かるロック片が形成され、前記ロック片は、前記ロック状態からの前記スライダの前記スライド方向への引抜時に、前記連結部を撓ませながら前記係止片と摺接する第３の傾斜壁を有し、前記雄コネクタと雌コネクタとの引抜時に前記雌接続端子と雄接続端子とが離脱する手前で引抜力のピークに達するように設定されていることを特徴とする。
【０００６】
前記スライダのカム部の第１の傾斜壁は、前記雄コネクタと雌コネクタとの挿入時に前記雌接続端子と雄接続端子とが接触する手前で第１の角度からこれよりも小さい第２の角度へと変化するように設定されていることが望ましい。
【０００７】
この発明に係る第２のスライダ付コネクタは、複数の雌接続端子を内部で支持すると共に、両側壁にガイド用突起が突設された雄コネクタハウジングを備えた雄コネクタと、前記複数の雌接続端子と接続される複数の雄接続端子を内部で支持すると共に、先端側に前記雄コネクタハウジングが挿入されるコネクタ挿入方向に突出して形成された雌係合壁を有し、且つ前記雌係合壁の両側壁に前記雄コネクタハウジングのガイド用突起を前記コネクタ挿入方向に案内するガイドが形成された雌コネクタハウジングを備えた雌コネクタと、前記雌コネクタハウジングの雌係合壁の両側壁に、これら両側壁に沿って前記コネクタ挿入方向と直交する方向にスライド自在に装着され、そのスライド方向に押し込まれることにより前記雄コネクタハウジングのガイド用突起と摺接して前記ガイド用突起を雌コネクタ側に引き込む第１の傾斜壁が形成されると共に、前記スライド方向に引き抜かれることにより前記雄コネクタハウジングのガイド用突起と摺接して前記ガイド用突起を雄コネクタ側に押し出す第２の傾斜壁が形成されたカム部を有するスライダとを備えたスライダ付コネクタであって、前記スライダのカム部には、前記スライダをスライド方向に引き抜く際に、前記ガイド用突起の下端側に一旦当接し、前記雌接続端子と雄接続端子との離脱点を確実に越える分の前記引抜力に対する反力を発生するための前記コネクタ挿入方向の前記雄コネクタ側に窪んだ凹部が形成されていることを特徴とする。
【０００８】
この発明によれば、スライダのカム部の第１の傾斜壁のスライド方向に対する傾斜角度が、雌雄接続端子が接触する手前で挿入力のピークに達するように設定されているので、コネクタ挿入時には挿入力のピークを越えた時点で雌雄両コネクタの嵌合速度が速くなる。しかも、この速度変化は、雌雄接続端子が接触する点の手前で起こるので、雌雄接続端子同士が接触する瞬間の雌雄両コネクタの相対移動速度が速くなり、コネクタ挿入時のアーク放電が起こり難くなる。これにより、雌雄接続端子の溶損を防止することができる。
また、スライダの連結部に形成されてスライド方向への引抜時に前記連結部を撓ませながら雌コネクタハウジングの係止片と摺接するロック片に第３の傾斜壁が形成され、雌雄接続端子が離脱する手前で引抜力のピークに達するように設定されているので、コネクタ引抜時の引抜力のピークを越えた時点で雌雄両コネクタの離脱速度が速くなる。この速度変化は、雌雄接続端子が離脱する点の手前で起こるので、雌雄接続端子同士が非接触となる瞬間の雌雄両コネクタの相対移動速度が速くなり、コネクタ引抜時のアーク放電が起こり難くなる。これにより、雌雄接続端子の溶損を防止することができる。
【０００９】
【発明の実施の形態】
以下、図面を参照して、この発明の実施例を説明する。
図１は、この発明の一実施例にかかるスライダ付コネクタを斜め上側から見た斜視図、図２は雄コネクタの上面図、正面図及び側面図、図３は、雌コネクタの側面図及び背面図、図４は、スライダの上面図、正面図及び側面図である。この実施例のコネクタは、例えば中央部分の垂直方向に縦３列に大電力負荷への接続用端子を配置した雄コネクタ１及び雌コネクタ２並びに雌コネクタ２に装着されたスライダ３から構成されている。
【００１０】
雄コネクタ１は、以下のように構成されている。即ち、雄コネクタハウジング４には、コネクタ嵌合方向に延びる複数の端子収容孔５が雄コネクタハウジング４の垂直方向中央付近に縦１列で形成され、これら端子収容孔５に大電力負荷の接続用のハーネス６の先端に圧着された雌接続端子７が収容されている。雄コネクタハウジング４の下面部には、ガイド溝８が形成され、両側面の先端側中央部はガイド用突起２０が突設されている。このガイド用突起２０は、嵌合面側及び基端側方向に向かって円弧を描く円柱形状の従動部２０ａ及び２０ｂを有し、この従動部２０ａ，２０ｂが後述するスライダ３のカム部５２の第１の傾斜壁５２ａ，５２ｂ及び第２の傾斜壁５２ｃと摺接し、雄コネクタハウジング４の嵌合方向及び離脱方向に力を受ける。
【００１１】
一方、雌コネクタ２は、以下のように構成されている。即ち、先端部に雄コネクタハウジング４の先端が挿入されるコネクタ嵌合方向に突出した雌係合壁２１を形成してなる雌コネクタハウジング２２には、雄コネクタ１の雌接続端子７に対応して、大電力負荷の接続用のハーネス２３の先端に圧着された雄接続端子２４が、図３に示すように、端子収容孔３２に装着されている。雌コネクタハウジング２２には、雄コネクタハウジング４のガイド溝８及びガイド用突起２０とそれぞれ対応する位置に、これらと嵌合するガイド突条３０及びガイド溝３１がそれぞれ形成されている。雌係合壁２１の両側壁には、スライダ３を自在に装着するためのスライダ挿入口３５を有するスライダ装着部３６と、上述した雄コネクタハウジング４のガイド用突起２０を案内する、コネクタ挿入方向に延びるガイド溝３１とが形成されている。スライダ装着部３６の外壁の上部には、スリットが形成されていて、スライダ３の抜け防止片５３がこのスリットに引っ掛かるように形成されている。
【００１２】
スライダ３は、図４に示すように、左右二つのスライド片５５と、この二つのスライド片５５を連結するアーチド・トップ形状の連結部５４ａ，５４ｂとで構成されている。連結部５４ａには、例えば人差し指の爪を引っ掛けるための引掛片５６が形成されている。一方、連結部５４ｂには、第３の傾斜壁５７ａを有するロック片５７が形成されている。この連結部５４ｂは、ロック片５７の第３の傾斜壁５７ａが雌コネクタハウジング２２に形成された係止片２９の先端側と摺接するため、その摺接側方向と反対側方向へ可撓性を有する。この連結部５４を把持しながらスライダ３をスライダ装着部３６から引き抜くと、スライダ３が完全にスライダ装着部３６に挿入されたときに、スライダ３の抜けを防止するロック片５７の雌コネクタハウジング２２の係止片２９への引っ掛かりによる抜け防止ロックを解除して、スライダ３を引き抜く方向に動かすことができる。このロック片５７は、スライダ３をスライダ装着部３６に完全に挿入した場合に、雌コネクタハウジング２２の上部に形成された係止片２９の折れ内側の内壁に引っ掛かり、スライダ３がスライダ装着部３６から抜け出すのを防止すると共に、雄コネクタ１及び雌コネクタ２の嵌合状態を、ただ単に両コネクタ１，２を嵌合方向と反対の方向に引っ張るだけでは解除できなくなるようにロックする役割も果たしている。
【００１３】
また、スライド片５５は、基本的に左右対称で成形されており、左右両スライド片５５には抜け防止片５３と、カム部５２と、従動突起５９，６０とがそれぞれ２つずつ設けられている。抜け防止片５３は、図３に示すように、スライダ３のスライド片５５をスライダ装着部３６のスライダ挿入口３５にある程度の長さまで挿入したときに有効となり、スライダ装着部３６に係止してあるスライダ３がスライダ挿入口３５から抜け出してしまうのを防止する。従動突起５９，６０は、スライド片５５がスライダ装着部３６に挿入された後に、スライダ装着部３６の内壁の所定の位置にそれぞれ当接し、スライダ３の押し込み／引き抜き操作でのそれぞれの操作に対して内壁を乗り越えるときに多少の抵抗感を与え、全体としてメリハリのある操作感を実現するためのものである。
【００１４】
カム部５２は、スライド片５５を切り欠いたスリット状で、この切り欠いたスリット状のうち、雌係合壁２１の先端方向に向かってスライダ３のスライド方向に対する第１の角度をなす第１の傾斜壁５２ａ（以下、「傾斜壁５２ａ」とする。）及び第２の角度をなす第１の傾斜壁５２ｂ（以下、「傾斜壁５２ｂ」とする。）を有すると共に、後端方向に向かって第２の角度と同角度をなす第２の傾斜壁５２ｃ（以下、「傾斜壁５２ｃ」とする。）を有している。これら傾斜壁５２ａ〜５２ｃのうち、傾斜壁５２ａは、傾斜壁５２ｂよりもスライダ３のスライド方向に対する角度が大きくなるように形成され、例えば傾斜壁５２ａがなす第１の角度は３０°、傾斜壁５２ｂ，５２ｃがなす第２の角度は１０°というように設定されている。このスライダ３を用いた雄及び雌コネクタ１，２の嵌合／離脱は、図５に示すように行われる。即ち、同図（ａ）に示すように、嵌合時にはスライダ３の連結部５４ａを上から押すことで雄及び雌コネクタ１，２が嵌合を開始し、ガイド用突起２０の従動部２０ｂが傾斜壁５２ａと摺接すると、ここで反力が発生するため所定以上の押圧力でスライダ３を押さないと雄コネクタ１が動かなくなる。次に、同図（ｂ）に示すように、ガイド用突起２０の従動部２０ｂが傾斜壁５２ｂと摺接すると、スライダ方向に対する角度が傾斜壁５２ａよりも小さいため、傾斜壁５２ａと摺接していたときに蓄えられた押圧力が一気に解放される。この反動により同図（ｃ）に示すように、雄及び雌コネクタ１，２同士が速い嵌合速度で完全嵌合する。嵌合の際に、雄及び雌コネクタ１，２の雌雄接続端子同士がこの速い嵌合速度域で接触を開始するようにすれば、アーク放電を起こし難くなり、接続端子の溶損を防止し安全にコネクタの嵌合作業を行うことができる。
【００１５】
また、離脱時にはスライダ３の連結部５４ａに設けられた引掛片５６等を引っ掛けて引き上げることにより雄及び雌コネクタ１，２の離脱を行う。この離脱開始時に、傾斜壁５２ｃと従動部２０ａとが摺接し、且つ連結部５４ｂに形成されたロック片５７の第３の傾斜壁５７ａ（以下、「傾斜壁５７ａ」とする。）が雌コネクタハウジング２２に形成された係止片２９の先端側と摺接して反力が発生し、連結部５４ｂが雄コネクタ１方向に撓み、この撓みによる反力が解放されることによる反動で雄及び雌コネクタ１，２の離脱速度が確実に速くなり、傾斜壁５２ｃと従動部２０ａとが摺接することで離脱方向の引抜力を発生しながら一気に離脱する。離脱の際に、雄及び雌コネクタ１，２の雌雄接続端子同士がこの速い離脱速度域で非接触となるようにすれば、アーク放電を防止することができる。また、この反動でスライダ３が引抜方向にストロークするときに、傾斜壁５２ｂと傾斜壁５２ａとの境界点を確実に越えるようにすれば、コネクタ離脱時に発生する、いわゆるチャタリングを防ぐこともできる。これにより、安全にコネクタの離脱作業を行うことができる。
【００１６】
上記のように構成されたスライダ付コネクタによれば、雄コネクタハウジング４のガイド用突起２０の従動部２０ｂが傾斜壁５２ａと摺接しているときのスライダ３のスライド動作を第１の挿入動作とし、傾斜壁５２ｂと摺接しているときのスライド動作を第２の挿入動作とすると、図６に示すように、スライダ３の挿入開始時には、雄コネクタハウジング４に設けられたガイド用突起２０の従動部２０ｂは、スライダ３のカム部５２の傾斜壁５２ａと▲１▼で示すように摺動角度３０°で接触し、その後は傾斜壁５２ｂと▲２▼で示すように摺動角度１０°で接触する。即ち、第１の挿入動作でのスライダ３が従動部２０ｂを嵌合方向に押し込もうとする力は、第２の挿入動作での嵌合方向に押し込もうとする力よりも大きいものとなる。また、雄コネクタハウジング４のガイド用突起２０の従動部２０ａが傾斜壁５２ｃと摺接しているときのスライダ３のスライド動作を引抜動作とすると、スライダ３の引抜開始時から最後まで、雄コネクタハウジング４に設けられたガイド用突起２０の従動部２０ａは、スライダ３のカム部５２の傾斜壁５２ｃと▲２▼で示すように摺動角度１０°で接触する。また、このとき雌コネクタハウジング２２に形成された係止片２９の先端とスライダ３のロック片５７の傾斜壁５７ａとが所定の角度で接触するため上述したようにスライダ３の連結部５４ｂが撓り、その応力によりスライダ３をスライド方向に動かそうとする力が働く。即ち、引抜動作でスライダ３が従動部２０ａを嵌合方向と反対方向に引き抜こうとする力は、初期段階が一番大きいものとなる。その様子を、図７のグラフに示している。
【００１７】
即ち、このスライダ付コネクタは、実線で表される挿入力曲線▲１▼で示すように、コネクタ同士の雄及び雌接続端子が接触を開始する時点をＴ1とすると、その時点よりも前の嵌合開始時点（Ｔ2）では、スライダの押圧力を余計に必要とするが、カム部の傾斜壁の角度が変化する時点（Ｔ3）で押圧力のカーブが急激に変化するため、以後慣性力でスライダ３が押し込まれる。カム部の傾斜壁の角度変化は、雌雄端子挿入力のピーク時（Ｔ4）よりも手前で、且つ雌雄接続端子同士が接触する時点（Ｔ1）以前であるため、Ｔ1の時点では、コネクタ同士の嵌合速度は非常に速いものとなる。従って、雌雄接続端子同士が接触する時点（Ｔ1）では、いわゆるアーク放電による溶損等が起こりにくくなり、且つ低挿入力でスライダ３を押し込むことができるため、大電力負荷を扱うコネクタの嵌合を安全に行うことができる。また、同図に破線で表される離脱力曲線▲２▼で示すように、コネクタ同士の雄及び雌接続端子が非接触となる時点をＴ1とすると、その時点よりも前の離脱開始時点から引抜力のピークに達する時点（Ｔ5）まで、直線的に強い引抜力が必要となり、Ｔ1の時点よりも前に引抜力のピークがくる。これにより、Ｔ1の時点では、コネクタ同士の離脱速度は上述した嵌合速度と同様に非常に速いものとなる。従って、雌雄接続端子同士が非接触となる時点（Ｔ1）では、いわゆるチャタリング等が起こりにくくなるため、大電力負荷を扱うコネクタの離脱を安全に行うことができる。ちなみに、図８に示すように、コネクタ引抜速度と接続端子の溶損との関係は、電圧４２ボルト（Ｖ）において負荷２．８ｋＷの時の直線Ａ及び０．４ｋＷの時の直線Ｂのいずれの場合でも、引抜速度が速いほど接続端子の溶損（損傷）が少なくなるということが分かる。このことは挿入速度と接続端子の溶損との関係についてもいえることである。つまり、本発明のスライダ付コネクタを使用することで、コネクタの挿抜速度を通常のコネクタよりも確実に速くすることができるため、大電力負荷のコネクタ特有のアーク放電を防止し、接続端子の溶損が発生する可能性を少なくすることが可能となる。
【００１８】
図９は、この発明の他の実施例に係るスライダ付コネクタ及びスライダを示す側面図である。この実施例のコネクタは、雌雄コネクタについては、上述したコネクタと同様の構造を有しているが、スライダの構造が若干変更されているものである。なお、上記実施例で説明した内容と重複する部分は、説明を割愛する。スライダ１００のカム部１０２は、スライド片１０５を切り欠いたスリット状からなり、この切り欠いたスリット状のうち、嵌合方向に向かってスライダ１００のスライド方向に対する第１の角度をなす第１の傾斜壁１０２ａ（以下、「傾斜壁１０２ａ」とする。）及び第２の角度をなす第１の傾斜壁１０２ｂ（以下、「傾斜壁１０２ｂ」とする。）を有すると共に、この傾斜壁１０２ｂのスライド引抜方向側よりも嵌合方向側に窪んだ凹部１０３を有する。また、離脱方向に向かって第２の角度と同角度をなす第２の傾斜壁１０２ｃ（以下、「傾斜壁１０２ｃ」とする。）を有している。これら傾斜壁１０２ａ〜１０２ｃは、例えば傾斜壁１０２ａがなす第１の角度は３０°、傾斜壁１０２ｂ，１０２ｃがなす第２の角度は１０°というように設定されている。スライダ１００の連結部１０４ａ，１０４ｂのうち、連結部１０４ｂには、ロック片１０５が形成されると共に、このロック片１０５と雌コネクタハウジング１１０に形成された係止片（図示せず）とのロック状態を解除するための把持部１０６が形成されている。コネクタ離脱時にはスライダ１００の連結部１０４ｂに設けられた把持部１０６を摘んで引き上げることにより雄及び雌コネクタ１１１，１１２の離脱を行う。この離脱開始時に、凹部１０３とガイド用突起１２０とが当接し、且つ連結部１０４ｂに形成されたロック片１０５の第３の傾斜壁１０５ａが雌コネクタハウジング１１０に形成された係止片（図示せず）の先端側と摺接して反力が発生し、連結部１０４ｂが雄コネクタ１１１方向に撓み、この撓みによる反力が解放されることによる反動及び凹部１０３とガイド用突起１２０との当接することによる反力の発生で雄及び雌コネクタ１１１，１１２の離脱速度が確実に速くなる。従って、この速い離脱速度域で雌雄接続端子同士が非接触となるようにすれば、アーク放電を防止することができると共に、いわゆるチャタリングを防ぐこともでき、接続端子の溶損少なくし、安全にコネクタの離脱作業を行うことができる。
【００１９】
【発明の効果】
以上述べたように、この発明によれば、スライダのカム部の第１の傾斜壁のスライド方向に対する傾斜角度が、雌雄接続端子が接触する手前で挿入力のピークに達するように設定されているので、コネクタ挿入時には挿入力のピークを越えた時点で雌雄両コネクタの嵌合速度が速くなる。しかも、この速度変化は、雌雄接続端子が接触する点の手前で起こるので、雌雄接続端子同士が接触する瞬間の雌雄両コネクタの相対移動速度が速くなり、コネクタ挿入時のアーク放電が起こり難くなる。これにより、雌雄接続端子の溶損を防止することができるという効果を奏する。
また、スライダの連結部に形成されてスライド方向への引抜時に前記連結部を撓ませながら雌コネクタハウジングの係止片と摺接するロック片に第３の傾斜壁が形成され、雌雄接続端子が離脱する手前で引抜力のピークに達するように設定されているので、コネクタ引抜時の引抜力のピークを越えた時点で雌雄両コネクタの離脱速度が速くなる。この速度変化は、雌雄接続端子が離脱する点の手前で起こるので、雌雄接続端子同士が非接触となる瞬間の雌雄両コネクタの相対移動速度が速くなり、コネクタ引抜時のアーク放電が起こり難くなる。これにより、雌雄接続端子の溶損を防止することができるという効果も奏する。
【図面の簡単な説明】
【図１】  この発明の一実施例に係るスライダ付コネクタを斜め上側から見た斜視図である。
【図２】  同雄コネクタの上面図、正面図及び側面図である。
【図３】  同雌コネクタの側面図及び背面図である。
【図４】  同スライダの上面図、正面図及び側面図である。
【図５】  同スライダ付コネクタの雌雄コネクタの嵌合／離脱の様子を示す図である。
【図６】  同雌雄コネクタ同士が完全嵌合された場合を示す図である。
【図７】  同スライダ付コネクタの雌雄コネクタ嵌合／離脱時のスライダの荷重−ストローク特性を示すグラフである。
【図８】  コネクタ引抜速度と接続端子の溶損との関係を示す図である。
【図９】  この発明の他の実施例に係るスライダ付コネクタ及びスライダを示す側面図である。
【符号の説明】
１…雄コネクタ、２…雌コネクタ、３…スライダ、４…雄コネクタハウジング、５…端子収容孔、６，２３…ハーネス、７…雌接続端子、８，３１…ガイド溝、２０…ガイド用突起、２１…雌係合壁、２２…雌コネクタハウジング、２４…雄接続端子、２９…係止片、３０…ガイド突条、３５…スライダ挿入口、３６…スライダ装着部、５２…カム部、５３…抜け防止片、５４…連結部、５５…スライド片、５６…引掛片、５７…ロック片、５９，６０…従動突起。
【図１】
0004387050.tif 000002
【図２】
0004387050.tif 000003
【図３】
0004387050.tif 000004
【図４】
0004387050.tif 000005
【図５】
0004387050.tif 000006
【図６】
0004387050.tif 000007
【図７】
0004387050.tif 000008
【図８】
0004387050.tif 000009
【図９】
0004387050.tif 000010